(57)【要約】【課題】  封筒の窓と挿入書類の宛名のずれを防止する。【解決手段】  窓付き表紙１の上下左右の各方向に裏紙２と封緘片３と左接着片４と右接着片５を連接した展開シートを使用し、  裏紙３をｃ線から、左接着片４をｄ線から、右接着片５をｅ線から、各折曲げて表紙１内面に重ね、折曲げた部材同士の重合部を接着して袋部を形成し、ｆ線から折曲げる封緘片３からなる封筒に於いて、  袋部の形成前に表紙１と裏紙２が連接する内側の折目周辺に糊付部１１を設け、糊付部１３に対して切り欠き８を利用して、内部に同時に縮小区画Ａ×Ｂを形成した。【選択図】        図４
2005255239.tif 000002
【特許請求の範囲】
【請求項１】
窓付き表紙（１）の上下左右の各方向に裏紙（２）と封緘片（３）と左接着片（４）と右接着片（５）を連接した展開シートを使用し、
裏紙（３）をｃ線から、左接着片（４）をｄ線から、右接着片（５）をｅ線から、各折曲げて表紙（１）内面に重ね、部材同士の重合部を接着した袋部と、ｆ線から折曲げる封緘片（３）とからなる封筒に於いて、
袋部の形成前に表紙（１）と裏紙が連接する折目周辺の内側に糊付部（１１）を設け、内部に縮小区画を設けた窓付き封筒。
【請求項２】
左右接着片（４，５）の上端（９，１０）が表紙（１）に設けた糊付部（１１）とは接しない形状である請求項１に記載の窓付き封筒。
【請求項３】
折曲げた右接着片（５）に糊付部（１３）を形成する際に、右接着片（５）の切り欠き（８）を利用して表紙（１）内面にも糊付部（１３）を形成し、
右接着片（５）と裏紙（２）を接着する際に、表紙（１）内面と裏紙（２）も接着する請求項１か２に記載の窓付き封筒。
【発明の詳細な説明】
【技術分野】
【０００１】
本発明は、窓付き封筒と宛名付き文書の組合せで起る窓と宛名のずれ防止に関する。
【背景技術】
【０００２】
少量の書類を相手に届ける場合、該書類を封筒に入れて封緘し所要金額の切手を貼付して郵送するか、所要金額を支払い宅配業者を利用して送付する等の手段が使われる。市販封筒の種類を、大きさで分けると非常に多いが、文書の挿入口で分けると挿入口の狭い縦封筒と挿入口の広い横封筒の二種類になる。また、縦横を問わず小型封筒の表紙には封入書類に記載した宛名を利用する窓付きのものがある。
【０００３】
窓の有無に関わらず縦横何れの封筒も、表紙の上下左右に裏紙や接着片や封緘片を連接した展開シートを使用し、左右接着片と裏紙を順次表紙内側に折曲げ、接着片と裏紙の間にできる合わせ目を、糊で固定して袋部を形成する。封緘片には蓋がしやすいように糊が塗られている。表紙と裏紙と接着片と封緘片の合わせ目の形状は、縦封筒では縦と横の直線の組合せが殆どであるが、横封筒では斜線も利用される。
【０００４】
窓付き封筒で重要なことは、窓と封入書類に記載された表示事項が一致することで、使用中に窓と表示事項の位置関係にずれが起こさないことである。特許文献１は封筒の裏紙の所要場所に透孔を設け、透孔を通して表紙内面と封緘片を接着してずれ防止対策とした窓付き封筒の技術を開示する。
【特許文献１】特開２００１−９７３９１号公報
【発明の開示】
【発明が解決しようとする課題】
【０００５】
封筒の窓を通して読み取る対象が漢字（住所・氏名）の時、多少のずれを生じても人が読み取るため判読不能の事態は起り難い。然し、機械の場合は特定の条件に基づき配列した数列（例えば、郵便番号）やバーコードを正確に読み取る必要があり、僅かなずれも読み取りに支障を与えて仕分け能力を低下させてしまう。従って、窓付き封筒内の書類は如何なる場合にも動かないことが望ましいが非常に難しい。
【０００６】
特許文献１は、裏紙に設けた透孔を通して表紙内面と封緘片を接着し、挿入書類の移動を防止する技術である。従って、表紙内面と封緘片を確実に接着させる透孔位置の選択には、封筒に書類を挿入しやすくするための多少の余地の他、透孔と書類が確実に重複しないだけの余地も考慮する必要がある。然し、余地の増加は窓を通した表示内容の安定性を悪くする。本発明者は透孔なしに挿入書類の位置決めが確実な窓付き封筒を開発して課題を解決した。
【課題を解決するための手段】
【０００７】
本発明は、窓付き表紙の上下左右の各方向に裏紙と封緘片と左接着片と右接着片を連接した展開シートを使用し、
裏紙をｃ線から、左接着片をｄ線から、右接着片をｅ線から、それぞれ折曲げて表紙内面に重ね、部材同士の重合部を接着した袋部と、ｆ線から折曲げる封緘片とからなる封筒に於いて、
袋部の形成前に表紙と裏紙が連接する折目周辺の内側に糊付部を設け、内部に縮小区画を設けた窓付き封筒である。
【発明の効果】
【０００８】
本発明の文書等書類（以下、書類）の位置決めができる封筒の使用で次の効果を得た。封筒内の書類は、封筒内部に設けた仕切りで、正確に位置決めされるので、窓と宛名等のずれの問題が解決した。仕切りの形成は封筒の従来製造工程の中で行えるので、コストに与える影響は殆どないに等しい。仕切り部分の糊は書類の挿入時点までに乾燥し転着する心配はない。この構造は、書類の大きさに合わせ封筒の糊付部分を決めればよく、書類に対する封筒の選択肢を拡げることができる。
【発明を実施するための最良の形態】
【０００９】
本発明は、窓付き表紙の上下左右の各方向に裏紙と封緘片と左接着片と右接着片を連接した展開シートから作成した封筒に書類を挿入した後、書類に記載した住所・宛名・郵便番号・バーコード等を人もしくは機械が窓を通して、正しく読み取れるようにする簡潔で有効な技術である。本技術は封筒自身の基本構成を変更する必要がなく、構成材の形状変更と糊付部を新たに追加するだけでよい。この処置のため新たに必要とする設備はなく、従来設備に僅かな手を加えるだけで済むので、製造コストを低く抑えることができる。
【００１０】
封筒内部の縮小は書類の挿入口を除く、何れか三辺に仕切りを設けることで目的を達成する。即ち、左右接着片の何れかに切り欠きを設け、切り欠きを利用して接着片と表紙内面に糊付部を設けて裏紙と接着するか、表紙と裏紙の折目寄りに新たな糊付部を設けて両者を接着すると、最大三方向に仕切りを設けることができる。後者の場合、糊付部の長さは書類相当長さから両端だけの範囲から選択すればよい。封筒サイズを超えない範囲で書類サイズが変更される場合は糊付部の位置変更だけで対応できる。本技術は縦横何れの封筒にも利用できる。
【実施例】
【００１１】
図１は窓付き横封筒を展開した糊付きシート図である。表紙１の縦方向に裏紙２と封緘片３を連接し、表紙の横方向に左接着片４と右接着片５を連接し、表紙には窓６を設け透明な窓カバー７を貼る。従来型の窓付き封筒との相違点は、表紙内面に裏紙との重合相当部（斜線部）に新たな糊付部１１を設けたこと、右接着片に切り欠き８を設け、左右接着片の上端９，１０を斜めに大きく切り取り、表紙内面の糊付部と左右接着片の上端内面が接着しないようにしたことである。
【００１２】
図２のように、表紙１内面に左右接着片４，５をｄ，ｅ線から折曲げ、折曲げた左右接着片上に糊付部１２，１３を設ける。その際、右接着片の切り欠き８を介して表紙１内面に糊付部１３が形成される。封緘片３内面に糊付部１４を設ける。裏紙２を表紙内面と左右接着片に向けてｃ線から折曲げると、先ず、糊付部１１により表紙内面と接着した後、図３のように、左右接着片と接着しながら切り欠きから表紙内面と接着して、袋部が完成する。
【００１３】
図４は未使用状態の横封筒の表面図で、窓の下側と右側の二方向を糊付部１１，１３で接着して内部を規制する。糊付部１１は両端に設けたが繋がっていてもよい。封筒の組上がり時点で糊は乾燥しているので、書類挿入時に接着部がずれたり糊が付着したりすることもなく、宛名等の情報が窓枠からずれる事態が起こることもない。この様に封筒の基本構造を変えずに、糊付部の追加と接着片形状の僅かな変更で、封筒内に仕切りＡ×Ｂによる所要区画を設けることができる。
【００１４】
区画に書類を挿入した後、裏紙２上に封緘紙３をｆ線から折曲げ、糊付部１４で接着すると封筒は完成する。その際、区画と書類の間に確保される隙間は、書類の挿入に支障のない範囲内に設定することができるので、封筒内の書類の移動は確実に防止できる。実施例の封筒は、表紙と裏紙が同サイズであるが本例に限定されることはなく、表紙を取り巻く各部材の形状も方形とは限らない。また、本発明は窓付き縦封筒にも活用できる。
【００１５】
本発明の窓付き封筒を構成する部材形状は、断裁打ち抜き工程で容易に処理できる内容である。糊付作業も製造設備の糊付工程の一部にアタッチメントを追加する程度で対応できるので、製造コストに大きな影響を与えるようなことはない。
【図面の簡単な説明】
【００１６】
【図１】窓付き横封筒を展開した糊付きシート図である。
【図２】図１から左右の接着片を折曲げた状態図である。
【図３】図２から裏紙を折曲げて袋部を形成した状態図である。
【図４】未使用状態の横封筒の正面図である。
【符号の説明】
【００１７】
１  表紙
２  裏紙
３  封緘片
４，５  左右接着片
６  窓
７  窓カバー
８  切り欠き
９，１０  左右接着片上端
１１，１２，１３，１４  糊付部
１５  窓付き封筒
【図１】
2005255239.tif 000003
【図２】
2005255239.tif 000004
【図３】
2005255239.tif 000005
【図４】
2005255239.tif 000006